(57)【要約】      （修正有）【課題】多目的施設ルーム運営、ＱＲコード（登録商標）を用いた情報共有システム、店員による販売補助システムおよび無人航空機（ドローン）を用いたメンテナンスシステムの利便性向上、安全確保を図るシステムを提供する。【解決手段】ＩＣＴ、ＩＯＴを用いたプログラムおよび情報通信機器を活用し、多目的施設ルーム運営、ＱＲコードを用いた情報共有システム、店員による販売補助システム、および無人航空機（ドローン）を用いたメンテナンスシステムの運営をサーバ内のプログラム等を用いて管理運営をするシステムであり、さらに利用者の求めに応じて防犯用スタンガン等の起動を行うことで、これまで即時に対応できていなかった暴行犯罪等の被害を受ける者の安心安全を確保する。【選択図】なし【特許請求の範囲】
【請求項１】
前記サーバｓｅ−１上にプログラムを置き、これまでは利益が見込めないなど人的経済的等の理由で活用したくとも出来ていなかった、利用者に身近な空き家・空き部屋等および物件を、すべての利用者が活用するための場所としてＩＣＴ機器端末および前期ＩＯＴを用い有効活用するシステムであり、利用者が本人確認のため等の情報を前記利用者の携帯電話等ａ−１もしくは管理運営側が設置したＩＣＴ機器端末ａ−２少なくとも１つのＩＣＴ機器等もしくは紙媒体を用いて管理運営側サーバｓｅ−１に登録し前記管理運営側が前記管理運営側サーバｓｅ−１に行為記録した物品およびサービスを設置した前期ＭＰＦＲ等特定の場所ｔ−１に入るため前記管理運営側等が用意するプログラム内ＩＣＴ電子的認証システムを用いて前記管理運営側サーバｓｅ−１を経由した情報により本人確認の後、前記管理運営側サーバｓｅ−１とオンラインでつながった電子マネーおよび全地球測位システム（以下ＧＰＳ）機能付きプリペイドカード等の選択ボタンのある前払い方式選択ボタンつき自動入金機等ＩＣＴ機器端末ｂ−２等に現金等を投入することで携帯電話等のＩＣＴ機器端末を所有している利用者もしくは携帯電話等のＩＣＴ機器端末を所有していなくても事前に前払いシステムが利用できるＩＣＴ端末機器および前期ＩＯＴを用いて通過記録後前期ＭＰＦＲ等特定の場所ｔ−１の入り口を解錠し、前記利用者が前記管理運営側のカメラ等センサーｂ−１を設置した前期ＭＰＦＲ等特定の場所ｔ−１に入り、前記利用者が購買希望品を選択する等商行為行動をカメラ等センサーｂ−１で前記管理運営側サーバｓｅ−１に記録し前記管理運営側が設置したＩＣＴ機器端末ａ−２もしくは前記利用者の携帯電話等ａ−１により前記利用者が購買希望品を購買、前記管理運営側サーバｓｅ−１に記録し清算をおこない前記利用者が購買品を所持し、前期ＭＰＦＲ等特定の場所ｔ−１を退出することで販売を完了する販売システム（前期ＭＰＦＲシステム）であり、またヘアカット等のスキルを持つサービス提供者がサーバ内プログラムに提供者登録しており前期ＭＰＦＲ内に管理運営側が設置したＩＣＴ機器端末ａ−２もしくは外部から利用者の携帯電話等ａ−１を用いてサーバ内プログラムに登録されたサービス提供者を呼び出し、登録されたサービス提供者が利用者に管理運営側が設置したＩＣＴ機器端末ａ−２もしくは利用者の携帯電話等ａ−１を用いてサービス提供の意思を利用者に通知し、利用者がサービスを受用するシステム（以下Ｙｏｂｉｒｉｎ  よびりん）
【請求項２】
前期ＷＥＢを用いた前期ＩＣＴ機器に表示される店員による販売補助システムであり、前記管理運営側が前記管理運営側のカメラ等センサーｂ−１を前期ＭＰＦＲ等特定の場所ｔ−１内に設置し前記利用者の携帯電話等ａ−１もしくは管理運営側が設置したＩＣＴ機器端末ａ−２および前期ＩＯＴ少なくとも１つのＩＣＴ機器および前期ＩＯＴ等を用いて販売員として登録された者が前記利用者からの問いあわせ等に対応しながら購買行動を確認かつ支援し速やかに完結するおよび少なくとも１つのＩＣＴ機器等で前記管理運営側サーバｓｅ−１に記録し、後日請求することで後払い「つけ」ができる前記利用者の利便性向上を促すおよび少なくとも１つのＩＣＴ機器等で管理運営側サーバｓｅ−１を介して購買情報等を確認、多種または少なくとも１つの情報の共有伝達通知をおこなうもしくは少なくとも１つのＩＣＴ機器等で管理運営側サーバｓｅ−１を介して契約店舗等特定の場所ｔ−１内の様子が前記利用者ｒ−１等が任意の時間および任意の場所で見ることができるもしくははっきりとわかる画像の送受信で前記管理運営側サーバｓｅ−１に商行為物流記録した品の情報を記録し、前期契約店舗等特定の場所ｔ−１にある前記管理運営側サーバｓｅ−１に商行為物流記録した品もしくは店舗内商品を販売するシステム（前期ＷＥＢクラーク）
【請求項３】
ＱＲコード（※ＱＲコードは株式会社デンソーウェーブの登録商標（第４０７５０６６号））を用い、登録した商品毎に発行される前期ＱＲコードを前期商品にあらかじめ貼り付けて置き、前記利用者の携帯電話等ａ−１もしくは管理運営側が設置したＩＣＴ機器端末ａ−２および前期ＩＯＴ少なくとも１つのＩＣＴ機器および前期ＩＯＴ等を用いて前期ＱＲコードを読み取ることで、利用者およびメーカー等に情報の提供・共有を行い、前期ＱＲコード利用店舗では利用者の注文が店舗スタッフもしくは店舗関係者等および管理者等に通知され情報の提供共有を行うシステム（前期ＱＲＩＣ）
【請求項４】
無人航空機（以下ドローン）を用いた管理販売システムであり、対象物件を上空もしくは側面または下方より前期ドローンを用いて撮影し、撮影した動画等をみながら対象物件の調査をおこない、必要に応じてメンテナンス等をおこなうシステムであり、またあらかじめもしくは依頼者等からの受注後に前期ドローン等を用いて対象者らを撮影して必要に応じて加工および編集を行い動画等として商品とし、利用者に前期商品を示して見せることで販売をおこない、もしくは管理運営側が設置したＩＣＴ機器端末ａ−２もしくはモニター等に表示させた前期商品を前期サーバ内プログラムを用い予約・販売をおこなうシステム（前期ＤＲＭ）
【請求項５】
前記管理運営者と関係者（例  店舗等物件所有者・管理組合・町内会など自治組織等も含む）で販売時価格と仕入れもしくは必要とした経費との差に応じて利益分配する販売システム
【発明の詳細な説明】
【技術分野】
【０００１】  本発明は、前記ＩＣＴ機器端末および前期ＩＯＴを用いての前期ＭＰＦＲと前期ＱＲＩＣと前期ＷＥＢクラークと前期ＤＲＭとそれらの運営および利用者の安全確保システムに関するものである。
【背景技術】
【０００２】  ＩＣＴ機器端末は開発・発展が目覚しく広く普及している。
スマートフォン、タブレット式ＩＣＴ端末等に多くの利用者がいることが背景となる。
【先行技術文献】
【０００３】
【特許文献】
【発明の概要】
【発明が解決しようとする課題】
【０００４】  しかしながら、未だＩＣＴ機器端末およびＩＯＴと連動する前期ＭＰＦＲと前期ＱＲＩＣと前期ＷＥＢクラークと前期ＤＲＭそれらの運営および利用者の安全確保システムが整備されていなかった。
そのためＩＣＴ機器端末およびＩＯＴを活用した安心・安全を目的とした利用者の利便性向上に資することを目的とした発明である。
【課題を解決するための手段】
【０００５】前記ＩＣＴ機器端末および前期ＩＯＴを用い、前期ＭＰＦＲと前期ＱＲＩＣと前期ＷＥＢクラークと前期ＤＲＭそれらの運営をサーバ内のプログラム等を用い管理運営をするシステムであり、さらに前期ＩＯＴを用い利用者の求めに応じて防犯用スタンガン等の起動をおこなうことでこれまでは即時に対応できていなかった暴行犯罪等の被害を受ける者の安心安全を確保することができるシステムである。
【発明の効果】
【０００６】前記ＩＣＴ機器端末および前期ＩＯＴの活用で安心安全な社会の構築・向上をもたらすシステムである。
【図面の簡単な説明】
【０００７】
【図１】  代表図面  前記ＩＣＴ機器端末および前期ＩＯＴの活用で前期ＭＰＦＲを管理・運営し、利用者手荷物内にあるスタンガン等を起動・スタンバイし、犯罪行為を行えなくする説明図
【図２】  多目的設備ルーム室内▲１▼  ホテル等の既存ルームを利用する場合
【図３】  多目的設備ルーム▲１▼  運営システムフローチャート
【図４】  多目的設備ルーム室内▲２▼  一般建物室内を利用する場合
【図５】  多目的設備ルーム▲２▼  運営システムフローチャート
【図６】  ＱＲコードを用いた情報共有提供システム
【図７】  ＱＲコード運営システムフローチャート
【図８】  ドローン等を用いた撮影映像商品化販売システム
【図９】  ドローン等による撮影映像商品化販売システムフローチャート
【図１０】  利益分配・情報提供共有
【発明を実施するための形態】
【０００８】  おもに、利用者（出品者、スタッフ、ユーザー等）がサーバ上のアプリケーションプラグラムに商品およびサービスならびに提供できるスキルを登録しＩＣＴ機器を用いて商取引や情報およびサービスの提供共有受用ならびにスキルの提供受用をおこなう。
【符号の説明】ｓｅ−１  サーバ
ａ−１    利用者ＩＣＴ機器端末
ａ−１ｓ  利用者所持ＩＯＴ機器（スタンガン等）
ａ−２    管理運営側ＩＣＴ機器端末
ａ−３    サービス提供者または関係者ＩＣＴ機器端末
ｂ−１    カメラ等ＩＣＴ機器端末
ｔ−１    前期ＭＰＦＲ等特定の場所
ｄ−１    出入口
ｄ−２    トイレ等
ｄ−３    自動販売機等
ｄ−４    多目的スペース
用途：シャワー、喫煙所、休憩所、パウダースペース、カットスペース、ネイルスペース等
ｄ−５    サロン・ラウンジ等
ｑ−１    商品ＱＲコードＡ
ｑ−２    商品ＱＲコードＢ
ｄｒ−１  無人航空機（ドローン）
ｖ−１    ＩＣＴ機器カメラ部
【図１】
2020087392.tif 000002
【図２】
2020087392.tif 000003
【図３】
2020087392.tif 000004
【図４】
2020087392.tif 000005
【図５】
2020087392.tif 000006
【図６】
2020087392.tif 000007
【図７】
2020087392.tif 000008
【図８】
2020087392.tif 000009
【図９】
2020087392.tif 000010
【図１０】
2020087392.tif 000011